(57)【要約】【課題】シュレッダ筐体内に設置された屑入れを引き出す際に、シュレッダ筐体が振動することに伴って細断機構周りに付着していた細断屑がシュレッダ筐体の底部に落下して散乱する事態を防止する。【解決手段】屑受け機構５としては、細断機構２にて細断された細断屑Ｓａを収容する屑入れ６と、開閉扉１ｂを開放したときに屑入れ６をシュレッダ筐体１内から外部へと引出し可能に支持する可動支持機構７と、シュレッダ筐体１のうち開閉扉１ｂとは反対側に位置する奥側壁と可動支持機構７との間に伸縮可能に掛け渡され、屑入れ６がシュレッダ筐体１の外部に引き出された条件では、シュレッダ筐体１内の下部空間を奥側壁から開閉扉１ｂの開口側に向かって斜め下方に傾斜した状態で横切るように伸張する補助屑受け８と、を備える。【選択図】図１
2019034264.tif 000002
【特許請求の範囲】
【請求項１】
被細断物が投入される投入口及び周壁の一部を開閉する開閉扉を有するシュレッダ筐体と、
前記シュレッダ筐体内の上部に設けられ、前記投入口から投入された被細断物を細断する細断機構と、
前記シュレッダ筐体内の前記細断機構の下方に設けられ、前記細断機構にて細断された細断屑を受け止める屑受け機構と、を備え、
前記屑受け機構は、
前記シュレッダ筐体内に出し入れ可能に設置され、前記細断機構にて細断された細断屑を収容する屑入れと、
前記シュレッダ筐体の底部に設けられ、前記開閉扉を開放したときに前記屑入れを前記シュレッダ筐体内から外部へと引出し可能に支持する可動支持機構と、
前記シュレッダ筐体のうち前記開閉扉とは反対側に位置する奥側壁と前記可動支持機構との間に伸縮可能に掛け渡され、前記屑入れが前記シュレッダ筐体の外部に引き出された条件では、前記シュレッダ筐体内の下部空間を前記奥側壁から前記開閉扉の開口側に向かって斜め下方に傾斜した状態で横切るように伸張する補助屑受けと、
を備えたことを特徴とするシュレッダ。
【請求項２】
請求項１に記載のシュレッダにおいて、
前記可動支持機構は、
前記屑入れを受け止める受け部材と、
前記シュレッダ筐体の底部に設けられ、前記シュレッダの設置面に少なくとも一部が接触した状態で前記シュレッダ筐体内から前記受け部材を引出し可能に案内する案内機構と、
を備えたことを特徴とするシュレッダ。
【請求項３】
請求項１に記載のシュレッダにおいて、
前記受け部材は前記屑入れの設置面積よりも広い面積の受け面を有する受けトレイであることを特徴とするシュレッダ。
【請求項４】
請求項１乃至３のいずれかに記載のシュレッダにおいて、
前記補助屑受けは、前記シュレッダ筐体の奥側壁と前記可動支持機構とに対し着脱機構を介して着脱可能に設けられていることを特徴とするシュレッダ。
【請求項５】
請求項１乃至３のいずれかに記載のシュレッダにおいて、
前記補助屑受けは、前記屑入れの引出し方向に交差する幅方向の両側縁から略中央に向かって略Ｖ字状又は略Ｕ字状に凹む断面形状を有することを特徴とするシュレッダ。
【請求項６】
請求項１乃至３のいずれかに記載のシュレッダにおいて、
前記補助屑受けは、前記可動支持機構への掛け渡し部付近に前記屑入れの引き出し方向に交差する幅方向に沿って延びるせき止め部を有することを特徴とするシュレッダ。
【請求項７】
請求項１乃至３のいずれかに記載のシュレッダにおいて、
前記補助屑受けは、前記シュレッダ筐体の奥側壁への掛け渡し部側に伸縮変形しない非変形部を有し、当該非変形部と前記可動支持機構への掛け渡し部との間に伸縮変形可能な変形部を有することを特徴とするシュレッダ。
【請求項８】
請求項１乃至３のいずれかに記載のシュレッダにおいて、
前記補助屑受けは細断屑が静電付着しない程度の導電性の高い表面抵抗であることを特徴とするシュレッダ。
【請求項９】
請求項１乃至３のいずれかに記載のシュレッダにおいて、
前記屑入れは、細断屑を収容する屑収容本体を有し、当該屑収容本体の外部には前記補助屑受けに受け止められた細断屑が収容可能な補助屑入れを備えることを特徴とするシュレッダ。
【請求項１０】
被細断物が投入される投入口及び周壁の一部を開閉する開閉扉を有するシュレッダ筐体と、前記シュレッダ筐体内の上部に設けられ、前記投入口から投入された被細断物を細断する細断機構と、を備えたシュレッダに組み込まれ、前記シュレッダ筐体内の前記細断機構の下方に設けられ、前記細断機構にて細断された細断屑を受け止める屑受け機構であって、
前記シュレッダ筐体内に出し入れ可能に設置され、前記細断機構にて細断された細断屑を収容する屑入れと、
前記シュレッダ筐体の底部に設けられ、前記開閉扉を開放したときに前記屑入れを前記シュレッダ筐体内から外部へと引出し可能に支持する可動支持機構と、
前記シュレッダ筐体のうち前記開閉扉とは反対側に位置する奥側壁と前記可動支持機構との間に伸縮可能に掛け渡され、前記屑入れが前記シュレッダ筐体の外部に引き出された条件では、前記シュレッダ筐体内の下部空間を前記奥側壁から前記開閉扉の開口側に向かって斜め下方に傾斜した状態で横切るように伸張する補助屑受けと、
を備えたことを特徴とするシュレッダの屑受け機構。
【発明の詳細な説明】
【技術分野】
【０００１】
本発明は、用紙などの被細断物を細断するシュレッダ及びこれに用いられる屑受け機構に関する。
【背景技術】
【０００２】
従来におけるシュレッダとしては例えば特許文献１，２に記載のものが既に知られている。
特許文献１には、シュレッダー本体に紙葉の投入口を傾斜して形成し、この投入口から投入された紙葉を送りローラ及び案内板でシュレッダーローラーカッタまで導き、このシュレッダーローラーカッタの下方にキャビンを形成し、このキャビン内に箱型の収納容器を挿脱自在に設けると共に屑袋を収納し、シュレッダーローラーカッタで細断されて落下する細断屑を収納容器の屑袋に収容するようにしたシュレッダーが開示されている。
特許文献２には、扉を開放したときに細断機構に付着していた細断屑の飛散を防止するために、シュレッダ筐体内で細断機構と屑入れとの間を仕切るように設けられ、 細断機構にて細断された細断屑が落下可能な開口を有する仕切り部材と、扉の開閉に連動し、扉が開いたときに仕切り部材の開口を閉じ且つ扉が閉じたときに仕切り部材の開口を開くように当該開口を開閉する蓋機構と、を備えるシュレッダが開示されている。
【先行技術文献】
【特許文献】
【０００３】
【特許文献１】特開平５−１９２６０２号公報（実施例，図１）
【特許文献２】特開２０１５−１３６６５１号公報（発明を実施するための形態，図１）
【発明の概要】
【発明が解決しようとする課題】
【０００４】
しかしながら、特許文献１に記載のシュレッダーにあっては、シュレッダー本体のキャビンから収納容器を取り出すとき、収納容器の取り出し作業時にシュレッダー本体が振動すると、シュレッダーローラーカッタに付着した細断屑が落下し、シュレッダー本体の底部に散乱する懸念がある。
一方、特許文献２に記載のシュレッダによれば、細断機構と屑入れとの間の仕切り部材の開口を蓋機構で開閉可能とし、シュレッダ筐体の扉の開閉に連動して蓋機構を開閉させ、扉開放時には蓋機構で仕切り部材の開口を閉じるため、細断機構周りに付着した細断屑が仕切り部材の開口を通じて下方に落下する事態は回避されるものの、仕切り部材の下面側に付着していた細断屑はそのままシュレッダ筐体の底部に落下して散乱する懸念がある。
【０００５】
本発明が解決しようとする技術的課題は、シュレッダ筐体内に設置された屑入れを引き出す際に、シュレッダ筐体が振動することに伴って細断機構周りに付着していた細断屑がシュレッダ筐体の底部に落下して散乱する事態を防止することにある。
【課題を解決するための手段】
【０００６】
本発明の第１の技術的特徴は、被細断物が投入される投入口及び周壁の一部を開閉する開閉扉を有するシュレッダ筐体と、前記シュレッダ筐体内の上部に設けられ、前記投入口から投入された被細断物を細断する細断機構と、前記シュレッダ筐体内の前記細断機構の下方に設けられ、前記細断機構にて細断された細断屑を受け止める屑受け機構と、を備え、前記屑受け機構は、前記シュレッダ筐体内に出し入れ可能に設置され、前記細断機構にて細断された細断屑を収容する屑入れと、前記シュレッダ筐体の底部に設けられ、前記開閉扉を開放したときに前記屑入れを前記シュレッダ筐体内から外部へと引出し可能に支持する可動支持機構と、前記シュレッダ筐体のうち前記開閉扉とは反対側に位置する奥側壁と前記可動支持機構との間に伸縮可能に掛け渡され、前記屑入れが前記シュレッダ筐体の外部に引き出された条件では、前記シュレッダ筐体内の下部空間を前記奥側壁から前記開閉扉の開口側に向かって斜め下方に傾斜した状態で横切るように伸張する補助屑受けと、を備えたことを特徴とするシュレッダである。
【０００７】
本発明の第２の技術的特徴は、第１の技術的特徴を備えたシュレッダにおいて、前記可動支持機構は、前記屑入れを受け止める受け部材と、前記シュレッダ筐体の底部に設けられ、前記シュレッダの設置面に少なくとも一部が接触した状態で前記シュレッダ筐体内から前記受け部材を引出し可能に案内する案内機構と、を備えたことを特徴とするシュレッダである。
本発明の第３の技術的特徴は、第１の技術的特徴を備えたシュレッダにおいて、前記受け部材は前記屑入れの設置面積よりも広い面積の受け面を有する受けトレイであることを特徴とするシュレッダである。
本発明の第４の技術的特徴は、第１乃至第３のいずれかの技術的特徴を備えたシュレッダにおいて、前記補助屑受けは、前記シュレッダ筐体の奥側壁と前記可動支持機構とに対し着脱機構を介して着脱可能に設けられていることを特徴とするシュレッダである。
本発明の第５の技術的特徴は、第１乃至第３のいずれかの技術的特徴を備えたシュレッダにおいて、前記補助屑受けは、前記屑入れの引出し方向に交差する幅方向の両側縁から略中央に向かって略Ｖ字状又は略Ｕ字状に凹む断面形状を有することを特徴とするシュレッダである。
本発明の第６の技術的特徴は、第１乃至第３のいずれかの技術的特徴を備えたシュレッダにおいて、前記補助屑受けは、前記可動支持機構への掛け渡し部付近に前記屑入れの引き出し方向に交差する幅方向に沿って延びるせき止め部を有することを特徴とするシュレッダである。
本発明の第７の技術的特徴は、第１乃至第３のいずれかの技術的特徴を備えたシュレッダにおいて、前記補助屑受けは、前記シュレッダ筐体の奥側壁への掛け渡し部側に伸縮変形しない非変形部を有し、当該非変形部と前記可動支持機構への掛け渡し部との間に伸縮変形可能な変形部を有することを特徴とするシュレッダである。
本発明の第８の技術的特徴は、第１乃至第３のいずれかの技術的特徴を備えたシュレッダにおいて、前記補助屑受けは細断屑が静電付着しない程度の導電性の高い表面抵抗であることを特徴とするシュレッダである。
本発明の第９の技術的特徴は、第１乃至第３のいずれかの技術的特徴を備えたシュレッダにおいて、前記屑入れは、細断屑を収容する屑収容本体を有し、当該屑収容本体の外部には前記補助屑受けに受け止められた細断屑が収容可能な補助屑入れを備えることを特徴とするシュレッダである。
【０００８】
本発明の第１０の技術的特徴は、被細断物が投入される投入口及び周壁の一部を開閉する開閉扉を有するシュレッダ筐体と、前記シュレッダ筐体内の上部に設けられ、前記投入口から投入された被細断物を細断する細断機構と、を備えたシュレッダに組み込まれ、前記シュレッダ筐体内の前記細断機構の下方に設けられ、前記細断機構にて細断された細断屑を受け止める屑受け機構であって、前記シュレッダ筐体内に出し入れ可能に設置され、前記細断機構にて細断された細断屑を収容する屑入れと、前記シュレッダ筐体の底部に設けられ、前記開閉扉を開放したときに前記屑入れを前記シュレッダ筐体内から外部へと引出し可能に支持する可動支持機構と、前記シュレッダ筐体のうち前記開閉扉とは反対側に位置する奥側壁と前記可動支持機構との間に伸縮可能に掛け渡され、前記屑入れが前記シュレッダ筐体の外部に引き出された条件では、前記シュレッダ筐体内の下部空間を前記奥側壁から前記開閉扉の開口側に向かって斜め下方に傾斜した状態で横切るように伸張する補助屑受けと、を備えたことを特徴とするシュレッダの屑受け機構である。
【発明の効果】
【０００９】
本発明の第１の技術的特徴によれば、シュレッダ筐体内に設置された屑入れを引き出す際に、シュレッダ筐体が振動することに伴って細断機構周りに付着していた細断屑がシュレッダ筐体の底部に落下して散乱する事態を防止することができる。
本発明の第２の技術的特徴によれば、シュレッダ筐体から屑入れを引き出す操作を簡単に実施することができ、屑入れ引出時におけるシュレッダ筐体の底部への細断屑の落下を防止することができる。
本発明の第３の技術的特徴によれば、屑入れに収容された細断屑が仮に溢れたとしても、受けトレイで受け止めることができるほか、補助屑受けで受け止めた細断屑の一時的な保管場所として利用することも可能である。
本発明の第４の技術的特徴によれば、補助屑受けを取り外さずに清掃作業を実施する場合に比べて、補助屑受けを取り外すことで広い作業場所にて受け止めた細断屑の清掃作業を実施することができる。
本発明の第５の技術的特徴によれば、補助屑受けが略平面状で配置される態様に比べて、受け止めた細断屑を幅方向略中央に集め易くすることができ、その分、清掃作業性を良好に保つことができる。
本発明の第６の技術的特徴によれば、補助屑受けが傾斜した姿勢であっても、補助屑受けで受け止めた細断屑をこぼれにくくすることができる。
本発明の第７の技術的特徴によれば、補助屑受けの略全体が伸縮可能な変形部である場合に比べて、補助屑受けで受け止めた細断屑の周辺からの漏れを更に抑制することができる。
本発明の第８の技術的特徴によれば、補助屑受けで受け止めた細断屑が補助屑受けに静電付着して除去し難い事態を回避することができる。
本発明の第９の技術的特徴によれば、補助屑入れを備えていない場合に比べて、補助屑受けで受け止めた細断屑の清掃処理に当たって補助屑入れに一時的な細断屑の収容場所として利用することができる。
本発明の第１０の技術的特徴によれば、シュレッダ筐体内に設置された屑入れを引き出す際に、シュレッダ筐体が振動することに伴って細断機構周りに付着していた細断屑がシュレッダ筐体の底部に落下して散乱する事態を防止することが可能なシュレッダを構築することができる。
【図面の簡単な説明】
【００１０】
【図１】本発明が適用されたシュレッダの実施の形態の概要を示し、（ａ）は開閉扉閉鎖時の状態、（ｂ）は開閉扉開放時にシュレッダ筐体内から屑入れを引き出した状態を示す説明図である。
【図２】実施の形態１に係るシュレッダの全体構成を示す説明図である。
【図３】（ａ）は実施の形態１で用いられる細断機構の駆動系を示す説明図、（ｂ）は実施の形態１で用いられる駆動伝達機構を示す説明図である。
【図４】実施の形態１で用いられる屑受け機構の一要素である屑入れ引出機構の概要を示す説明図である。
【図５】実施の形態１で用いられる屑入れ引出機構でシュレッダ筐体内に配置された状態を示す説明図である。
【図６】実施の形態１で用いられる屑入れ引出機構をシュレッダ筐体から引き出した状態を示す説明図である。
【図７】（ａ）は屑入れ引出機構の案内機構の挙動を模式的に示す説明図、（ｂ）は案内機構の案内ロールの支持構造を示す説明図である。
【図８】（ａ）は実施の形態１で用いられる屑受け機構の一要素である補助屑受けを示す説明図、（ｂ）はその補助屑受けの支持構造を示す説明図である。
【図９】（ａ）は実施の形態１で用いられる補助屑受けの寸法関係を示す説明図、（ｂ）は実施の形態１で用いられる補助屑受けの変形の形態を示す説明図である。
【図１０】（ａ）は実施の形態１に係るシュレッダの屑受け機構で、開閉扉開放時にシュレッダ筐体内から屑入れを引き出した状態を示す説明図、（ｂ）は補助屑受け上に落下した細断屑の後処理例を示す説明図である。
【図１１】（ａ）実施の形態２に係るシュレッダの屑受け機構の要部を示す説明図、（ｂ）は（ａ）中Ｂ方向から見た矢視図である。
【図１２】実施の形態３に係るシュレッダの屑受け機構の要部であって、開閉扉閉鎖時の状態を示す説明図である。
【図１３】実施の形態３に係るシュレッダの屑受け機構の要部であって、開閉扉開放時にシュレッダ筐体内から屑入れを引き出した状態を示す説明図である。
【図１４】（ａ）は実施の形態４に係るシュレッダの屑受け機構の要部であって、開閉扉開放時にシュレッダ筐体から屑入れを引き出した状態を示す説明図、（ｂ）は実施の形態４に係るシュレッダの屑受け機構の変形の形態の要部を示す説明図である。
【発明を実施するための形態】
【００１１】
◎実施の形態の概要
図１は本発明が適用されたシュレッダの実施の形態の概要であって、（ａ）は開閉扉閉鎖時の状態を、（ｂ）は開閉扉開放時にシュレッダ筐体から屑入れを引き出した状態を示す説明図である。
同図において、シュレッダは、被細断物Ｓが投入される投入口１ａ及び周壁の一部を開閉する開閉扉１ｂを有するシュレッダ筐体１と、シュレッダ筐体１内の上部に設けられ、投入口１ａから投入された被細断物Ｓを細断する細断機構２と、シュレッダ筐体１内の細断機構２の下方に設けられ、細断機構２にて細断された細断屑Ｓａを受け止める屑受け機構５と、を備え、屑受け機構５は、シュレッダ筐体１内に出し入れ可能に設置され、細断機構２にて細断された細断屑Ｓａを収容する屑入れ６と、シュレッダ筐体１の底部に設けられ、開閉扉１ｂを開放したときに屑入れ６をシュレッダ筐体１内から外部へと引出し可能に支持する可動支持機構７と、シュレッダ筐体１のうち開閉扉１ｂとは反対側に位置する奥側壁と可動支持機構７との間に伸縮可能に掛け渡され、屑入れ６がシュレッダ筐体１の外部に引き出された条件では、シュレッダ筐体１内の下部空間を奥側壁から開閉扉１ｂの開口側に向かって斜め下方に傾斜した状態で横切るように伸張する補助屑受け８と、を備えたものである。
【００１２】
このような技術的手段において、屑受け機構５は、屑入れ６、可動支持機構７及び補助屑受け８を備えていればよい。
本例において、屑入れ６は通常箱状の容器が多く採用されているが、袋状の態様をも含む。
また、可動支持機構７としては、屑入れ６をシュレッダ筐体１内から外部へと引出し可能に支持するものであれば、少なくとも屑入れ６を引き出すために移動する部材を有していれば適宜選定して差し支えない。
更に、補助屑受け８は、（１）シュレッダ筐体１の奥側壁と可動支持機構７との間に掛け渡されること、（２）伸縮可能であること、（３）シュレッダ筐体１外に屑入れ６を引き出したときに、シュレッダ筐体１の奥側壁から開閉扉１ｂの開口に向かって斜め下方に傾斜した状態で横切るように伸長するものであればよい。
つまり、この補助屑受け８は、未使用時にはシュレッダ筐体１内に収まり、使用時には、細断機構２周辺に付着した細断屑Ｓａが落下しても、シュレッダ筐体１の底部に至るのを遮る作用を奏し、更に、開閉扉１ｂの開口に向かって傾斜配置させることで、開閉扉１ｂの開口からの清掃作業（補助屑受け８を取り外す清掃作業、補助屑受け８を取り外さない清掃作業を含む）を行い易くしたものである。
また、補助屑受け８は、受け止めた細断屑Ｓａが周辺から漏れないように、幅方向両側縁がシュレッダ筐体１の内壁に近接若しくは接触配置されていることが好ましい。
【００１３】
次に、本実施の形態に係るシュレッダの屑受け機構５の代表的態様又は好ましい態様について説明する。
先ず、可動支持機構７の代表的態様としては、屑入れ６を受け止める受け部材７ａと、シュレッダ筐体１の底部に設けられ、シュレッダの設置面に少なくとも一部が接触した状態でシュレッダ筐体１内から受け部材７ａを引出し可能に案内する案内機構７ｂ，７ｃと、を備えたものが挙げられる。
ここで、受け部材７ａとしては、屑入れ６を受け止めるものであれば平板状以外に、複数の棒材を平行に配置したり、井桁状に配置する等適宜選定して差し支えない。また、案内機構７ｂ，７ｃとしては、受け部材７ａを引き出し可能に案内する案内部材を有し、少なくとも一部がシュレッダの設置面に接触した状態で受け部材７ａを支持する機能を有していればよい。尚、受け部材７ａの引出・押込操作をするに当たり、操作力が不必要にかからないようにシュレッダの設置面に接触する機能部材（案内機構７ｃに相当）の接触面積は少なく、かつ、接触抵抗も少ない方が好ましい。
また、可動支持機構７の好ましい態様としては、受け部材７ａは屑入れ６の設置面積よりも広い面積の受け面を有する受けトレイである態様が挙げられる。本例は、屑入れ６の受け部材７ａが受けトレイである態様を示し、この受けトレイで細断屑Ｓａ等を一時的に受け止める作用を奏する。
【００１４】
更に、補助屑受け８の好ましい態様としては、シュレッダ筐体１の奥側壁と可動支持機構７とに対し着脱機構９（本例では９ａ，９ｂ）を介して着脱可能に設けられている態様が挙げられる。本例は、補助屑受け８が着脱可能な態様であり、例えば清掃作業時に補助屑受け８を取り外して補助屑受け８で受け止めた細断屑Ｓａを屑入れ６に入れるなどの後処理を行うことが可能である。
更にまた、補助屑受け８の別の好ましい態様としては、屑入れ６の引出し方向に交差する幅方向の両側縁から略中央に向かって略Ｖ字状又は略Ｕ字状に凹む断面形状を有する態様が挙げられる。本例は、補助屑受け８が略Ｖ字状又は略Ｕ字状に凹む断面形状を有することで、受け止めた細断屑Ｓａを補助屑受け８の幅方向略中央の溝部に寄せるようにした態様である。
また、補助屑受け８の更に別の好ましい態様としては、可動支持機構７への掛け渡し部付近に屑入れ６の引き出し方向に交差する幅方向に沿って延びるせき止め部（図示せず）を有する態様が挙げられる。本例は、補助屑受け８の可動支持機構７との掛け渡し部付近に図示外のせき止め部を有し、このせき止め部が補助屑受け８で受け止められた細断屑Ｓａをせき止めるものである。
【００１５】
更に、補助屑受け８の他の好ましい態様としては、シュレッダ筐体１の奥側壁への掛け渡し部側に伸縮変形しない非変形部を有し、当該非変形部と可動支持機構７への掛け渡し部との間に伸縮変形可能な変形部を有する態様が挙げられる。本例は、補助屑受け８が伸縮可能な変形部を部分的に有する態様で、シュレッダ筐体１の奥側壁への掛け渡し部側に非変形部を設けた態様である。この場合、非変形部の幅方向寸法をシュレッダ筐体１の幅方向の内壁間寸法に略対応して設定するようにすれば、少なくとも非変形部とシュレッダ筐体１の内壁との間を近接配置することが可能になり、非変形部の幅方向両側縁からの細断屑Ｓａの漏れを極力少なくすることが可能である。
【００１６】
更にまた、補助屑受け８の更に他の好ましい態様としては、細断屑Ｓａが静電付着しない程度の導電性の高い表面抵抗である態様が挙げられる。本例は、補助屑受け８の材料や、コーティング層を工夫することで導電性の高い表面抵抗の補助屑受け８を構成したものである。
また、屑入れ６の好ましい態様としては、細断屑Ｓａを収容する屑収容本体を有し、当該屑収容本体の外部には補助屑受け８に受け止められた細断屑Ｓａが収容可能な補助屑入れ（図１には図示せず）を備える態様が挙げられる。本例は、屑入れ６に図示外の補助屑入れを備えることで、細断屑Ｓａの一時的な収容場所として利用可能である。
【００１７】
以下、添付図面に示す実施の形態に基づいて本発明をより詳細に説明する。
◎実施の形態１
図２は実施の形態１に係るシュレッダの全体構成を示す。
−シュレッダの全体構成−
同図において、シュレッダ２０は、略直方体形状のシュレッダ筐体２１を有し、このシュレッダ筐体２１の上面には細断する被細断物としての用紙Ｓが投入される投入口２２を開設し、この投入口２２には一対のガイドシュートで区画された搬入経路２３を設け、この搬入経路２３の途中に細断機構２４を配設し、シュレッダ筐体２１内の細断機構２４の下方には用紙Ｓの細断屑Ｓａが受け止められる屑受け機構２７を設けたものである。
そして、本例では、シュレッダ筐体２１は細断機構２４と屑受け機構２７との間に仕切り壁２５が設けられており、この仕切り壁２５には細断機構２４からの細断屑Ｓａを屑受け機構２７に向けて落下させる開口２６が開設されている。尚、図中符号２１ａはシュレッダ筐体２１を開閉する開閉扉である。
【００１８】
＜細断機構＞
ここで、細断機構２４は、カッタ要素として対構成の刃付ドラム３１，３２が用いられるクロスカット方式を採用したもので、対構成の刃付ドラム３１，３２の噛み合い領域に用紙Ｓを挿通させることで、用紙Ｓの搬入方向に沿う方向（縦方向）及びこれに略直交する交差方向（横方向）について縦横同時に細断するようにしたものである。尚、本例では、対構成の刃付ドラム３１，３２のカッタ要素を用いるようにしているが、これに限られるものではなく、縦方向に細断する第１のカッタ要素と、横方向に細断する第２のカッタ要素とを搬入経路２３の上流、下流に分けて設置してもよいことは勿論である。
【００１９】
＜駆動装置・駆動伝達機構＞
また、本実施の形態において、符号５０は細断機構２４を駆動する駆動装置であり、この駆動装置５０は、図２及び図３（ａ）（ｂ）に示すように、駆動源としての駆動モータ５１と、この駆動モータ５１からの駆動力を細断機構２４の対構成の刃付ドラム３１，３２に伝達する駆動伝達機構５９とを有している。
本例において、駆動伝達機構５９としては、例えば駆動モータ５１の駆動軸及び第１の刃付ドラム３１の回転軸に夫々プーリ５９ａ，５９ｂを固着すると共に、これらプーリ５９ａ，５９ｂ間に伝達ベルト５９ｃを掛け渡し、更に、各対構成の刃付ドラム３１，３２の回転軸には伝達ギア５９ｄ，５９ｅを互いに噛合させた状態で固着するようにしたものである。
【００２０】
−制御装置−
更に、本実施の形態では、図３に示すように、細断機構２４を駆動する駆動装置５０は制御装置７０によって制御されるようになっている。
本例において、制御装置７０はＣＰＵ、ＲＡＭ、ＲＯＭ及び入出力ポートを含むマイクロコンピュータシステムからなり、操作パネル６０からの操作信号、搬入経路２３に用紙Ｓが搬入されたか否かを検出する位置センサ２８からの信号などを入出力ポートを介して受け取り、ＣＰＵ、ＲＡＭによってＲＯＭ内に予めインストールされている細断制御プログラムを実行し、入出力ポートを介して細断機構２４の駆動装置５０に対し所定の制御信号を送出するようになっている。
そして、本例では、操作パネル６０は、図３に示すように、シュレッダ２０に電源を投入するためのスタートスイッチ６１（図中ＳＴと表記）と、用紙Ｓが搬入経路２３で紙詰まりした場合に用紙Ｓを逆転排出する排出モードなどを指定するときにオン操作するモード選択スイッチ６２（図中ＭＳと表記）と、シュレッダ２０の動作状態を表示する表示器６３と、を有している。また、位置センサ２８は用紙Ｓが通過したことを検出可能な構成であれば、機械的、光学式センサなど適宜選定して差し支えない。
また、符号８０は駆動モータ５１に供給される駆動電流を検出する電流検出器であり、この電流検出器８０の電流値をモニタすることで細断機構２４に搬入される用紙Ｓの負荷を判別し、用紙Ｓの詰まりなどが予測可能になっている。尚、本例では電流検出器８０によって用紙Ｓの負荷を判別するようにしているが、例えば搬入経路２３の途中に用紙Ｓの厚さが検出可能な厚さ検出器（図示せず）を設け、この厚さ検出器にて搬入される用紙Ｓの厚さを検出することで、細断機構２４に搬入される用紙Ｓの負荷を判別するようにしてもよい。
【００２１】
−屑受け機構−
本実施の形態において、屑受け機構２７は、シュレッダ筐体２１内に出し入れ可能に設置され、細断機構２４にて細断された細断屑Ｓａを収容する屑入れ９０と、シュレッダ筐体２１の底部に設けられ、開閉扉２１ａを開放したときに屑入れ９０をシュレッダ筐体２１内から外部へと引出し可能に支持する可動支持機構としての屑入れ引出機構１００と、シュレッダ筐体２１のうち開閉扉２１ａとは反対側に位置する奥側壁２１ｃと屑入れ引出機構１００との間に伸縮可能に掛け渡され、屑入れ９０がシュレッダ筐体２１の外部に引き出された条件では、シュレッダ筐体２１内の下部空間を奥側壁２１ｃから開閉扉２１ａの開口側に向かって斜め下方に傾斜した状態で横切るように伸張する補助屑受け１７０と、を備えている。
【００２２】
−屑入れ−
本例では、屑入れ９０は上方が開口した略直方体箱状の屑収容器９１にて構成されている。この屑収容器９１の表面は例えば１０１２Ω以下の表面抵抗率を有する帯電防止剤でコーティングされ、収容される細断屑Ｓａが屑収容器９１の内面、外面に対して静電付着し難い構造になっている。
【００２３】
−屑入れ引出機構−
本実施の形態では、屑入れ引出機構１００は、図４乃至図７に示すように、屑入れ９０を載置する受け部材としての置台１１０と、この置台１１０を引出可能に案内する案内機構１２０とを備えている。
＜置台＞
本例では、置台１１０は、シュレッダ筐体２１の底部面に略対応する大きさの矩形状の支持板１１１を有し、支持板１１１の周縁のうち置台１１０の引出方向側の縁部を除いて側壁１１２〜１１４を立ち上げ形成したものである。ここで、支持板１１１のうち置台１１０の引出方向に沿う方向の側壁１１２，１１３は断面略逆Ｌ字状になるように外側に張り出すフランジ１１５を有している。また、支持板１１１のうち置台１１０の押込方向側の側壁１１４は外方に張り出すように傾斜配置されている。
【００２４】
＜案内機構＞
また、本例において、案内機構１２０は、置台１１０を引出方向に沿って案内する案内レール１３０と、置台１１０の引出方向側に設けられ、シュレッダ筐体２１内から置台１１０を引き出すときに当該置台１１０の引出方向側を支持して案内する案内ロール１６０とを備えている。
本例では、案内レール１３０は、図５乃至図８に示すように、シュレッダ筐体２１の開閉扉２１ａに隣接する側壁２１ｂの下部のうち置台１１０の引出方向に沿う方向の両側に取り付けられる対構成の固定案内レール１３１と、置台１１０の引出方向に沿う両側に設けられる対構成の可動案内レール１４０とを備えている。
ここで、対構成の固定案内レール１３１は、例えば図５乃至図７に示すように、断面Ｕ字状のチャンネル材１３２を開口が対向するように配置し、ねじ等の止め具を用いてシュレッダ筐体２１の側壁２１ｂの下部に固定すると共に、このチャンネル材１３２のＵ字状の案内溝１３４に沿って可動案内レール１４０を摺動させるようにしたものである。尚、固定案内レール１３１の下壁の下方には所定の間隔の空間部が形成されている。
【００２５】
また、可動案内レール１４０は、固定案内レール１３１に沿って摺動し、かつ、固定案内レール１３１から引き出される多段（本例では３段）の案内レール要素１４１〜１４３を有している。ここで、各案内レール要素１４１〜１４３はいずれも断面略Ｕ字状のチャンネル材にて構成され、第１の案内レール要素１４１が固定案内レール１３１の案内溝１３４に沿って摺動し、第２の案内レール要素１４２が第１の案内レール要素１４１のＵ字状の案内溝（図示せず）に摺動自在に嵌め込まれ、更に、第３の案内レール要素１４３が第２の案内レール要素１４２のＵ字状の案内溝（図示せず）に摺動自在に嵌め込まれ、第１乃至第３の案内レール要素１４１〜１４３は順次引き出されて延びるようになっている。尚、符号１４６〜１４８は第１乃至第３の案内レール要素１４１〜１４３の引出量を規制するストッパである。
更に、置台１１０の両側壁１１２，１１３の外側には固定案内レール１３１を外側から抱き込むチャンネル状の被案内レール１５０が設けられている。この被案内レール１５０は、Ｌ字状のレール要素１５１と棒状のレール要素１５２とで構成され、Ｌ字状のレール要素１５１が固定案内レール１３１の上壁及び開口を覆うように収容され、棒状のレール要素１５２が固定案内レール１３１の下壁の下方空間部１３５に収容されるようになっている。
そして、可動案内レール１４０の第３の案内レール要素１４３は被案内レール１５０に固定されている。
＜案内ロール＞
案内ロール１６０は、図５、図６及び図７（ｂ）に示すように、置台１１０の引出方向側の中央付近に断面Ｊ字状の支持ブラケット１６１をねじ等の止め具１６２で固定し、この支持ブラケット１６１の下部にホルダ１６３を介して回転可能に保持されている。
【００２６】
−補助屑受け−
本例において、補助屑受け１７０は、図８（ａ）（ｂ）に示すように、シュレッダ筐体２１内の奥側壁２１ｃの仕切り壁２５寄りと、屑入れ引出機構１００の置台１１０の側壁１１４との間に掛け渡される屑受けシート１７１を有している。
本例において、屑受けシート１７１は伸縮変形可能な樹脂製（例えばキャンバス状布材など）のシート材の表面を帯電防止のためのコーティング層で被覆したものであり、このコーティング層としては、細断屑Ｓａが静電付着しない程度の導電性の高い表面抵抗を有している。
【００２７】
更に、本例では、屑受けシート１７１は、図８（ａ）（ｂ）に示すように、シュレッダ筐体２１の奥側壁２１ｃと置台１１０の側壁１１４とに対し夫々着脱機構１７２，１７６を介して着脱可能に設けられている。ここで、一方の着脱機構１７２は、屑受けシート１７１の掛け渡し方向の一端側に当該屑受けシート１７１の幅方向に沿って延びる例えば断面円形状の係止ロッド１７３を巻き込み保持し、シュレッダ筐体２１の奥側壁２１ｃには一組の係止アーム１７４を予め決められた距離だけ離してねじ等の止め具１７５にて固着し、係止アーム１７４に係止ロッド１７３を離脱可能に係止させるものである。尚、本例の係止アーム１７４は奥側壁２１ｃから円弧状に突出する係止用腕部１７４ａで係止ロッド１７３を巻き込み保持し、係止用腕部１７４ａの基端には奥側壁２１ｃに沿って下方向に延びる取付片１７４ｂを形成し、この取付片１７４ｂを止め具１７５にて固着するようにしたものである。
また、他方の着脱機構１７６は、屑受けシート１７１の掛け渡し方向他端側に当該屑受けシート１７１の幅方向に延びる係止ロッド１７７を巻き込み固着し、置台１１０の側壁１１４には一組の係止アーム１７８を引っ掛け保持し、係止アーム１７８に係止ロッド１７７を離脱可能に係止させるものである。ここで、本例の係止アーム１７８は置台１１０の側壁１１４の外側面から円弧状に突出する係止用腕部１７８ａで係止ロッド１７７を巻き込み保持し、この係止用腕部１７８ａには断面逆Ｕ字状の引っ掛け片１７８ｂを形成し、置台１１０の側壁１１４に引っ掛け片１７８ｂを引っ掛けるようにしたものである。
【００２８】
本例では、屑受けシート１７１は、図９（ａ）に示すように、シュレッダ筐体２１内の幅方向寸法に略等しい幅寸法Ｗを有し、伸張されたときの掛け渡し方向の長さ寸法Ｌは、シュレッダ筐体２１の奥側壁２１ｃの係止アーム１７４と、屑入れ９０が屑入れ引出機構１００にてシュレッダ筐体２１の外部に引き出されたときにおける置台１１０の側壁１１４に保持された係止アーム１７８との間を横切る距離と略同等である。
そして、本例では、図２に示すように、シュレッダ２０の設置面から係止アーム１７４までの高さ寸法をＨ１、同設置面から係止アーム１７８までの高さ寸法をＨ２とすれば、Ｈ１＞Ｈ２を満たすことから、伸張された屑受けシート１７１はシュレッダ筐体２１内の下部空間を奥側壁２１ｃから開閉扉２１ａの開口側に向かって斜め下方に傾斜した状態で横切るものである（図１０（ａ）参照）。
【００２９】
−シュレッダの細断制御処理−
次に、本実施の形態に係るシュレッダの細断制御処理を説明する。
先ず、図３に示すように、制御装置７０は、操作パネル６０のスタートスイッチ６１がオン操作されたことを判断した後、駆動装置５０の駆動条件（例えば駆動モータ５１の駆動速度条件）を予め決められた所定のものに設定する。
この状態において、シュレッダ筐体２１の投入口２２に用紙Ｓが投入されると、当該用紙Ｓは搬入経路２３に沿って細断機構２４に向かって移動する。このとき、位置センサ２８は用紙Ｓが通過したことを検出すると、位置センサ２８による検出信号が制御装置７０に取り込まれ、これに連動して、駆動モータ５１が所定の駆動条件に従って細断機構２４の対構成の刃付ドラム３１，３２を駆動する。
本例では、用紙Ｓは対構成の刃付ドラム３１，３２の噛み合い領域を通過することで、縦横同時に細断される。このとき、屑受け機構２７の屑入れ９０は、図２に示すように、シュレッダ筐体２１内に設置されることから、細断機構２４で細断された細断屑Ｓａは仕切り壁２５の開口を通じて屑入れ９０に向かって下方へと落下し、屑入れ９０内に収容される。
この間、屑受け機構２７の屑入れ引出機構１００は、図２及び図５に示すように、シュレッダ筐体２１内に置台１１０を配置しており、補助屑受け１７０はシュレッダ筐体２１内の奥側壁２１ｃ付近にて縮小した状態で保管されている。
そして、用紙Ｓの後端が位置センサ２８を通過して予め決められた時間（細断処理が終了したであろうと推測される時間）が経過すると、制御装置７０は細断処理が終了したものと判断し、駆動モータ５１の駆動を停止し、一連の細断制御処理を終了する。
【００３０】
−細断屑の後処理−
次に、ユーザが屑入れ９０に収容された細断屑Ｓａを後処理する場合について説明する。
ユーザは、自発的あるいは操作パネル６０の表示器６３に屑入れ９０の細断屑Ｓａが満杯であることを示す警告表示を見て、細断屑Ｓａの後処理の要否を判断することが可能である。
この場合、ユーザは、シュレッダ筐体２１の開閉扉２１ａを開放し、屑入れ９０をシュレッダ筐体２１外に引き出すようにすればよい。
このとき、ユーザが屑入れ９０をシュレッダ筐体２１外に引き出すと、図１０に示すように、ユーザによる引出力が屑入れ引出機構１００に伝達され、屑入れ引出機構１００の置台１１０は、案内レール１３０（固定案内レール１３１、可動案内レール１４０）及び被案内レール１５０によってシュレッダ筐体２１外に引き出される。
この状態において、置台１１０の引出方向側は案内ロール１６０がシュレッダ２０の設置面に沿って転動することから、置台１１０はスムースに引き出される。
そして、置台１１０がシュレッダ筐体２１から外部に引き出された状態で、屑入れ９０を持ち上げて細断屑Ｓａの廃棄処理を行うようにすればよい。
【００３１】
また、屑入れ９０を引出操作するときには、図１０（ａ）に示すように、置台１１０がシュレッダ筐体２１の外部に引き出されることから、補助屑受け１７０のうち置台１１０との掛け渡し部分がシュレッダ筐体２１の開閉扉２１ａの開口側に引き出され、これに伴って、補助屑受け１７０が伸張し、シュレッダ筐体２１の奥側壁２１ｃと置台１１０の側壁１１４との間で斜め下方に傾斜した状態で配置される。
このとき、屑入れ９０の引出操作時にはシュレッダ筐体２１が振動することから、細断機構２４周りや仕切り壁２５の下面に付着した細断屑Ｓａは、図１０（ａ）にｍ１で示すように、下方に落下することになるが、落下した細断屑Ｓａは、図１０（ａ）にｍ２に示すように、補助屑受け１７０の傾斜姿勢に沿って斜め下方に移動していき、補助屑受け１７０の下端に位置する係止ロッド１７７部分にてせき止められる。
また、本例では、補助屑受け１７０の幅寸法Ｗはシュレッダ筐体２１内の幅寸法に略対応したものであるため、補助屑受け１７０とシュレッダ筐体２１の両側壁との間は近接しており、補助屑受け１７０上に堆積した細断屑Ｓａが両者の隙間部分からシュレッダ筐体２１の置台１１０のない底部に落下する懸念は少ない。
【００３２】
この状態において、補助屑受け１７０上に堆積した細断屑Ｓａについては、ユーザは、図１０（ｂ）に示すように、補助屑受け１７０の上端、下端に位置する係止ロッド１７３，１７７を係止アーム１７４，１７８から取り外すことで、補助屑受け１７０に堆積した細断屑Ｓａを屑入れ９０に捨て、屑入れ９０に収容された細断屑Ｓａをまとめて廃棄するようにすればよい。
尚、本例では、補助屑受け１７０上に堆積した細断屑Ｓａの後処理については、補助屑受け１７０を一旦取り外すようにしているが、これに限られるものではなく、補助屑受け１７０の上端、下端が着脱自在であるので、清掃し易い方法で補助屑受け１７０の一端側を着脱するようにしてもよい。
【００３３】
そして、屑入れ９０の後処理が終了すると、ユーザは、補助屑受け１７０の上端、下端に位置する係止ロッド１７３，１７７を係止アーム１７４，１７８に夫々係止することで補助屑受け１７０を再びセットし、屑入れ引出機構１００の置台１１０上に屑入れ９０を載せた後に、シュレッダ筐体２１内に屑入れ９０を押し込むようにすればよい。
このとき、置台１１０は、屑入れ引出機構１００によってスムースにシュレッダ筐体２１内に押し込まれる。
【００３４】
◎変形の形態１
本実施の形態では、補助屑受け１７０の下端に位置する係止ロッド１７７が堆積する細断屑Ｓａのせき止め壁として機能するようになっているが、これに限られるものではなく、例えば図９（ｂ）の変形の形態１に示すような態様にしても差し支えない。
同図において、変形の形態１で用いられる補助屑受け１７０は、屑受けシート１７１の下端に係止ロッド１７７の代わりにせき止めブロック１８０を固着するようにしてもよい。
【００３５】
◎実施の形態２
図１１（ａ）は実施の形態２に係るシュレッダの屑受け機構の要部を示す。
同図において、屑受け機構２７は、実施の形態１と略同様な屑入れ９０、屑入れ引出機構１００を備えているが、補助屑受け１７０が実施の形態１と異なっている。尚、実施の形態１と同様な構成要素については、実施の形態１と同様な符号を付してここではその詳細な説明を省略する。
本例において、補助屑受け１７０は、実施の形態１と略同様な屑受けシート１７１を有しているが、この屑受けシート１７１の上端、下端に位置する着脱機構１７２，１７６の構成が実施の形態１と異なっている。
つまり、本例では、一方の着脱機構１７２の係止ロッド１７３は、図１１（ａ）（ｂ）に示すように、係止アーム１７４に係止可能な両端付近の領域を軸方向に延びる直線軸部１８１とし、この直線軸部１８１間に位置する中間領域を幅方向の略中央に向かって略Ｖ字状又は略Ｕ字状に凹む断面形状の屈曲軸部１８２としたものである。
そして、本例では、他方の着脱機構１７６の係止ロッド１７７も一方の着脱機構１７２の係止ロッド１７３と同様な構成（直線軸部１８１、屈曲軸部１８２）を有している。
尚、本実施の形態では、係止ロッド１７３，１７７が直線軸部１８１と屈曲軸部１８２とを有する形状になっているが、これに限られるものではなく、両端に直線軸部１８１を設けずに屈曲軸部１８２のみを有する形状でも差し支えない。この場合、係止アーム１７４，１７８の受け面を屈曲軸部１８２に対応させて形成するようにすればよい。
【００３６】
本実施の形態では、補助屑受け１７０は、係止ロッド１７３，１７７の屈曲軸部１８２の存在により、屑受けシート１７１には幅方向の略中央に向かって略Ｖ字状又は略Ｕ字状の溝部１８３が形成されるため、開閉扉２１ａを開放して屑入れ９０をシュレッダ筐体２１の外部に引出操作した際に、シュレッダ筐体２１の振動に起因して補助屑受け１７０上に細断屑Ｓａが落下すると、屑受けシート１７１上に落下した細断屑Ｓａはシュレッダ筐体２１の奥側壁２１ｃから開閉扉２１ａの開口側に向かって斜め下方に移動するほか、図１１（ｂ）に矢印Ｃで示すように、屑受けシート１７１の溝部１８３の底面形状に沿って屑受けシート１７１の幅方向の略中央に向かって寄せられる。このため、本例では、補助屑受け１７０上に堆積した細断屑Ｓａは幅方向の略中央に寄せられた状態で斜め下方へと移動していくことから、実施の形態１に比べて、補助屑受け１７０上に堆積した細断屑Ｓａが幅方向両側からこぼれる懸念が少なく、しかも、補助屑受け１７０の幅方向の略中央付近に集められる点で好ましい。
【００３７】
◎実施の形態３
図１２は実施の形態３に係るシュレッダの屑受け機構の要部を示す。
同図において、屑受け機構２７は、実施の形態１と略同様な屑入れ９０、屑入れ引出機構１００を備えているが、補助屑受け１７０が実施の形態１，２と異なっている。尚、実施の形態１と同様な構成要素については、実施の形態１と同様な符号を付してここではその詳細な説明を省略する。
本例において、補助屑受け１７０は、実施の形態１，２と異なり、シュレッダ筐体２１の奥側壁２１ｃとの掛け渡し部側に伸縮変形しない非変形屑受けシート１９１を有し、当該非変形屑受けシート１９１の下端部分と屑入れ引出機構１００の置台１１０の側壁１１４との掛け渡し部との間には伸縮変形可能な変形屑受けシート１９２を有し、掛け渡し方向の両端に位置する部分には夫々係止ロッド１７３，１７７を設けるようにしたものである。
【００３８】
本実施の形態では、開閉扉２１ａを開放して屑入れ９０をシュレッダ筐体２１の外部に引出操作した際に、図１３に示すように、屑入れ引出機構１００が置台１１０をシュレッダ筐体２１の外部に引き出すため、補助屑受け１７０のうち非変形屑受けシート１９１が係止ロッド１７３を回転支点として円弧軌跡を描きながら移動し、かつ、変形屑受けシート１９２が伸張し、非変形屑受けシート１９１及び変形屑受けシート１９２が略平面的に並ぶ。
この状態において、非変形屑受けシート１９１の幅方向寸法をシュレッダ筐体２１の幅方向の内壁間寸法に略対応して設定するようにすれば、少なくとも非変形屑受けシート１９１とシュレッダ筐体２１の内壁との間を近接配置することが可能になり、非変形屑受けシート１９１の幅方向両側縁からの細断屑Ｓａの漏れを極力少なくすることが可能である。
尚、図１２、図１３に仮想線で示すように、非変形屑受けシート１９１の幅方向両側縁に立上げ部１９５を設けるようにすれば、非変形屑受けシート１９１の幅方向両側縁からの細断屑Ｓａの漏れを更に抑制することが可能である。
【００３９】
◎実施の形態４
図１４（ａ）は実施の形態４に係るシュレッダの屑受け機構の要部を示す。
同図において、屑受け機構２７の基本的構成は、実施の形態１と略同様に、屑入れ９０、屑入れ引出機構１００及び補助屑受け１７０を備えているが、実施の形態１とは異なり、屑入れ引出機構１００の置台１１０上に屑入れ９０の設置面積よりも広い受け面を有する受けトレイ２００を載置し、この受けトレイ２００上に屑入れ９０を載置するようにしたものである。
本実施の形態によれば、屑入れ９０は置台１１０上に受けトレイ２００を介して載置されていることから、受けトレイ２００上に細断屑Ｓａが落下している可能性があるが、本例では、屑入れ９０を持ち上げた際に、受けトレイ２００を持ち上げて清掃することも可能である。
また、本例では、補助屑受け１７０上に堆積した細断屑Ｓａを後処理する際に、屑入れ９０ではなく、受けトレイ２００を一時的な保管場所として利用するものである。特に、本例では、補助屑受け１７０の下端側に位置する着脱機構１７６を取り外すことで、補助屑受け１７０の下端部を少し持ち上げるようにすれば、補助屑受け１７０上に堆積した細断屑Ｓａを受けトレイ２００へ捨てることが可能であるため、補助屑受け１７０上に堆積した細断屑Ｓａの後処理を容易にすることが可能である。
尚、本例において、屑受け機構２７として、実施の形態２又は３の態様を用いてもよいことは勿論である。
【００４０】
◎変形の形態２
実施の形態４では、補助屑受け１７０に堆積した細断屑Ｓａの一時的な保管場所として受けトレイ２００を利用する態様が示されているが、これに限られるものではなく、例えば図１４（ｂ）の変形の形態２に示す態様を採用するようにしても差し支えない。
同図においては、屑入れ９０は、細断屑Ｓａを収容する屑収容器９１を有し、当該屑収容器９１の外部には補助屑受け１７０上に堆積した細断屑Ｓａが収容可能な補助屑入れ９２を備えるものである。
本例によれば、補助屑受け１７０上に堆積した細断屑Ｓａの一時的な保管場所として補助屑入れ９２を利用することが可能である。
【符号の説明】
【００４１】
１…シュレッダ筐体，１ａ…投入口，１ｂ…開閉扉，２…細断機構，５…屑受け機構，６…屑入れ，７…可動支持機構，７ａ…受け部材，７ｂ，７ｃ…案内機構，８…補助屑受け，９（９ａ，９ｂ）…着脱機構，Ｓ…被細断物，Ｓａ…細断屑
【図１】
2019034264.tif 000003
【図２】
2019034264.tif 000004
【図３】
2019034264.tif 000005
【図４】
2019034264.tif 000006
【図５】
2019034264.tif 000007
【図６】
2019034264.tif 000008
【図７】
2019034264.tif 000009
【図８】
2019034264.tif 000010
【図９】
2019034264.tif 000011
【図１０】
2019034264.tif 000012
【図１１】
2019034264.tif 000013
【図１２】
2019034264.tif 000014
【図１３】
2019034264.tif 000015
【図１４】
2019034264.tif 000016